(57)【要約】【課題】鍵と質量体とを双方向に常時連動して回動させる。【解決手段】質量体ＨＭは、押鍵操作に応じて、鍵１０の質量体駆動部１１により係合部２１が駆動されて、回動終了位置の方向に回動する。また、アクチュエータＡＣＴにより被駆動部２２が駆動されて、回動終了位置の方向に回動する。質量体ＨＭが回動すると、鍵スイッチＳＷが、質量体ＨＭのスイッチ押圧部２４によって押圧駆動されて、鍵動作が検出される。鍵１０の質量体駆動部１１と質量体ＨＭの係合部２１とは常に係合状態にあり、鍵１０と質量体ＨＭとは互いに、それぞれの回動開始位置と回動終了位置との間を双方向に常に連動して回動する。【選択図】図１
2006209145.tif 000002
【特許請求の範囲】
【請求項１】
質量体を駆動する質量体駆動部を有し、鍵回動支点を中心に非押鍵状態に対応する回動開始位置と押鍵終了状態に対応する回動終了位置との間で回動可能にされた鍵と、
係合部、被駆動部及びスイッチ押圧部を有し、前記鍵の下方において該鍵に対応して配設され、質量体回動支点を中心に非押鍵状態に対応する回動開始位置と押鍵状態に対応する回動終了位置との間で回動可能にされた質量体と、
前記質量体の下方において該質量体に対応して配設され、前記質量体の前記被駆動部を駆動して前記質量体を前記回動終了位置の方向に回動させる質量体駆動手段と、
前記質量体の前記スイッチ押圧部により押圧されることで前記鍵の動作を検出する鍵スイッチ部とを有し、
前記鍵の前記質量体駆動部と前記質量体の前記係合部とは常に係合状態にあり、前記鍵と前記質量体とは互いに、それぞれの回動開始位置と回動終了位置との間を双方向に連動して回動するように構成されたことを特徴とする鍵盤装置。
【発明の詳細な説明】
【技術分野】
【０００１】
本発明は、自動演奏ピアノ等の鍵を直接または間接的に駆動することで押鍵動作をさせる鍵盤装置に関する。
【背景技術】
【０００２】
従来、自動演奏ピアノ等において、自動演奏データに基づき、回動等の動作をする鍵自身を直接、または鍵に連動して回動等の動作をする質量体等の介在部材を介して鍵を間接的に駆動するようにした鍵駆動装置を備えた鍵盤装置が知られている。この鍵盤装置は、例えば、ソレノイドを用いて構成され、１つの鍵に対応して１つずつ設けられる。このソレノイドに演奏タイミング毎に通電してプランジャを突出動作させ、該プランジャで鍵または介在部材を突き上げ（または突き下げ）駆動するように構成される。
【０００３】
例えば、下記特許文献１では、ソレノイドを用いた鍵盤装置において、貫通型ソレノイドを使用することで、ソレノイドの推力（対プランジャのストローク）特性を平滑化して、鍵駆動に利用しやすくしている。
【特許文献１】特開平５−２８１９５９号公報
【発明の開示】
【発明が解決しようとする課題】
【０００４】
しかしながら、質量体を介して鍵を間接的に駆動するようにした鍵盤装置においては、鍵と質量体とが常に双方向に連動して回動するように構成することが困難であった。
【０００５】
本発明は上記従来技術の問題を解決するためになされたものであり、その目的は、鍵と質量体とを双方向に常時連動して回動させることができる鍵盤装置を提供することにある。
【課題を解決するための手段】
【０００６】
上記目的を達成するために本発明の請求項１の鍵盤装置は、質量体を駆動する質量体駆動部を有し、鍵回動支点を中心に非押鍵状態に対応する回動開始位置と押鍵終了状態に対応する回動終了位置との間で回動可能にされた鍵と、係合部、被駆動部及びスイッチ押圧部を有し、前記鍵の下方において該鍵に対応して配設され、質量体回動支点を中心に非押鍵状態に対応する回動開始位置と押鍵状態に対応する回動終了位置との間で回動可能にされた質量体と、前記質量体の下方において該質量体に対応して配設され、前記質量体の前記被駆動部を駆動して前記質量体を前記回動終了位置の方向に回動させる質量体駆動手段と、前記質量体の前記スイッチ押圧部により押圧されることで前記鍵の動作を検出する鍵スイッチ部とを有し、前記鍵の前記質量体駆動部と前記質量体の前記係合部とは常に係合状態にあり、前記鍵と前記質量体とは互いに、それぞれの回動開始位置と回動終了位置との間を双方向に連動して回動するように構成されたことを特徴とする。
【０００７】
なお、上記構成において、次のように構成してもよい。
【０００８】
前記質量体駆動手段が前記質量体の前記被駆動部を駆動することによって、前記質量体は前記回動終了位置の方向への途中まで回動可能であり、それに連動して、前記鍵は、前記回動終了位置の方向への途中まで回動して半押鍵状態となるように構成される。
【発明の効果】
【０００９】
本発明によれば、鍵と質量体とを双方向に常時連動して回動させることができる。
【発明を実施するための最良の形態】
【００１０】
従来、鍵（乃至介在部材）を含んだ系は、慣性を有するため、動作をさせるためには、特に駆動初期において大きい駆動力を要する。その一方、非押鍵状態から押鍵状態まで鍵を変位させるために、駆動ストロークも十分に確保しなければならない。そのため、鍵駆動装置は、通常、駆動初期に十分な駆動力が発揮でき、且つ十分なストロークが得られるように設計され、例えば、ソレノイドを用いたものではその寸法形状、コイル巻数、印加電圧等が適正に設定される。従って、鍵駆動装置の小型化が困難であるという問題があった。また、通電電流の設定を大きくせざるを得ない場合は、電源回路の電圧降下を回避するため、高価な安定化電源が必要になる等の不利もあった。
【００１１】
以下、本発明の実施の形態を図面を参照して説明する。
【００１２】
図１は、本発明の一実施の形態に係る鍵駆動装置を備えた鍵盤装置の断面図である。
【００１３】
本鍵盤装置は、シャーシ１４に、複数の鍵１０及び質量体ＨＭが支持されて構成される。鍵１０は、押下操作され、鍵回動支点ＰＫを中心として上下方向に回動自在になっている。鍵１０として白鍵及び黒鍵が複数存在するが、同図では、鍵１０として１つの白鍵が示されている。他の鍵、及び対応する質量体等の構成は同様である。以降、本鍵盤装置の奏者側を「前方」と呼称する。鍵１０には、質量体駆動部１１が設けられる。
【００１４】
鍵１０の下方には、各鍵１０に対応して質量体ＨＭが配置される。質量体ＨＭは、質量体回動軸ＰＨを中心に回動自在になっている。また、質量体ＨＭの係合部２１は、鍵１０の質量体駆動部１１と常に係合状態にあり、質量体ＨＭが鍵１０に連動して回動するようになっている。奏者による押鍵操作に応じて、鍵１０の質量体駆動部１１により係合部２１が駆動され、質量体ＨＭが質量体回動軸ＰＨを中心に同図反時計方向（押鍵方向に対応する方向）に回動することで、適正な押鍵感触が与えられる。
【００１５】
質量体ＨＭは、質量部材２３の自重によって、同図時計方向（離鍵方向に対応する方向）に常に付勢されており、初期状態である非押鍵状態では、ＨＭ（０）で示す位置に位置する。また、同図においては、押鍵状態に対応する質量体ＨＭの位置がＨＭ（２）で示され、鍵１０は押鍵状態のみが示されている。鍵１０の押鍵状態からの復帰力は、質量部材２３の重さによる質量体ＨＭの復帰力によるものである。なお、質量体ＨＭを非押鍵位置に戻すための復帰力を発生させる補助手段として、復帰バネを設けてもよい。
【００１６】
シャーシ１４の後部上部及び後部下部にはそれぞれ、フェルト等の上側ストッパ１２及び下側ストッパ１３が設けられている。上側ストッパ１２は押鍵時に質量体ＨＭの質量部材２３と当接して鍵１０の押鍵終了位置を規制する。下側ストッパ１３は非押鍵時に質量部材２３と当接して鍵１０の非押鍵状態への復帰位置を規制する。
【００１７】
また、本鍵盤装置には、２メイク式の鍵スイッチＳＷが設けられる。鍵スイッチＳＷは、質量体ＨＭのスイッチ押圧部２４によって押圧駆動されて、キーベロシティを含む鍵動作を検出する。奏者による押鍵動作、すなわちリアルタイム演奏の場合は、スイッチ押圧部２４の検出結果に基づいて、楽音制御がなされる。
【００１８】
本鍵盤装置にはまた、自動演奏用の鍵駆動手段として、アクチュエータＡＣＴ（第１、第２アクチュエータＡＣＴＡ、ＡＣＴＢ）が質量体ＨＭに対応して設けられる。両アクチュエータＡＣＴは、本実施の形態では配置を除き同様に構成される。すなわち、両アクチュエータＡＣＴは、ボビン３１Ａ、３１Ｂの周囲にソレノイドコイル３２Ａ、３２Ｂが巻回され、ボビン３１Ａ、３１Ｂの内部をプランジャ３３Ａ、３３Ｂが往復動作可能に構成される。プランジャ３３Ａ、３３Ｂの上部に一体に形成された鍔部３３Ａａ、３３Ｂａにより、プランジャ３３Ａ、３３Ｂが下方に脱落しないようになっている。
【００１９】
両アクチュエータＡＣＴは、質量体ＨＭの被駆動部２２の下方に配置され、第１アクチュエータＡＣＴＡは、第２アクチュエータＡＣＴＢに比し、質量体回動軸ＰＨからの距離がより遠い位置に配置されている。非押鍵状態では、プランジャ３３Ａ、３３Ｂが、質量体ＨＭ（０）の被駆動部２２にほぼ当接している。ソレノイドコイル３２Ａ、３２Ｂに通電されると、プランジャ３３Ａ、３３Ｂが上方に移動し、質量体ＨＭを押し上げ駆動する。通電が解除されると、質量体ＨＭ及び鍵１０の復帰に伴い、プランジャ３３Ａ、３３Ｂが、自重に加えて、質量体ＨＭに押されて元の初期位置（図１で示す位置）に復帰する。なお、プランジャ３３Ａ、３３Ｂを強制復帰させるためのバネ等を設けて復帰動作を速くするようにしてもよい。
【００２０】
図２は、本鍵盤装置の機能構成を示すブロック図である。本装置は、鍵盤部２、操作部３、表示部４、メモリ５、アクチュエータ駆動部６及び楽音発生部８が、バス９を介して制御部１にそれぞれ接続されて構成される。制御部１はそれぞれ不図示のＣＰＵのほか、該ＣＰＵが実行する制御プログラムを記憶したＲＯＭ、及び各種データを記憶するＲＡＭ等を含んで構成され、本装置全体を制御する。鍵盤部２には、上記複数の鍵１０、上記鍵スイッチＳＷのほか、図示しない押鍵検出回路が含まれる。操作部３は、図示しない各種操作子の各スイッチ部及び操作検出回路を含んでいる。表示部４は、各種情報を画面表示する。メモリ５はＲＯＭ等で構成され、ＭＩＤＩ（Musical Instrument Digital Interface）信号等の自動演奏データ等を記憶する。アクチュエータ駆動部６は、上記第１、第２アクチュエータＡＣＴＡ、ＡＣＴＢを動作させるための電圧印加回路等を有して構成される。楽音発生部８は、図示しない音源回路及び効果回路を含み、奏者による演奏または自動演奏データに基づく楽音信号を音響に変換する。なお、弦を設け、押鍵動作により打弦がなされるようにし、楽音発生部８ではなく弦の振動により発音がなされるように構成してもよい。
【００２１】
図３は、本実施の形態におけるアクチュエータＡＣＴの動作説明図である。同図では、質量体ＨＭの回動行程において、質量体ＨＭの回動位置及びアクチュエータＡＣＴのプランジャ３３の位置の対応関係を示している。
【００２２】
同図において、ｒｔ（０）は、非押鍵状態に対応する質量体ＨＭの回動開始位置である（ＨＭ（０））。ｒｔ（１）は、押鍵途中に対応する質量体ＨＭの回動途中位置である（ＨＭ（１））。ｒｔ（２）は、押鍵状態に対応する質量体ＨＭの回動終了位置である（ＨＭ（２））。プランジャ３３Ａ、３３Ｂの、負荷が無い場合におけるストローク、すなわち駆動力を発揮する有効ストロークは、それぞれＸＡ、ＸＢであるが、本実施の形態ではＸＡ＝ＸＢであるとする。プランジャ３３Ａ、３３Ｂの各位置を、ＰＡ、ＰＢに括弧を添付して示す。
【００２３】
本鍵盤装置は、奏者による演奏のほかに、自動演奏データに基づく自動演奏も可能である。自動演奏データには、キーオンデータ、キーオフデータ、音高データのほか、少なくともタッチ（キーオンベロシティ）データが含まれる。
【００２４】
また、本実施の形態では、タッチと印加電圧との関係を示すテーブルが、各第１、第２アクチュエータＡＣＴＡ、ＡＣＴＢ毎に予め制御部１内のＲＯＭに記憶されているものとする。自動演奏データ中の音高データに対応する第１、第２アクチュエータＡＣＴＡ、ＡＣＴＢに電圧が印加される。この印加されるべき電圧は、自動演奏データ中のタッチデータに応じて設定される。そして、制御部１の制御に従って、上記設定された電圧が、アクチュエータ駆動部６により両アクチュエータＡＣＴの各ソレノイドコイル３２Ａ、３２Ｂに同時に印加される。
【００２５】
図４（ａ）は、アクチュエータＡＣＴのプランジャストロークに対する駆動力Ｆ（ｓｔ）の変化特性を示す図である。
【００２６】
本実施の形態では、単体の駆動力の変化特性としては、第１、第２アクチュエータＡＣＴＡ、ＡＣＴＢ共に共通であるとする。同図（ａ）では、一定の電圧を印加した場合における駆動力Ｆ（ｓｔ）の変化を示し、ストローク位置が０であるとき、駆動力Ｆ（ｓｔ）は、０より大きいＦ（０）であり、その後上昇して、ストローク位置ＸＡ、ＸＢの直前で最大となって、その後急激に減少してストローク位置ＸＡ、ＸＢで０になる。第１、第２アクチュエータＡＣＴＡ、ＡＣＴＢにおいては、同図（ａ）に示すような駆動力特性となるように、ソレノイドコイル３２Ａ、３２Ｂとプランジャ３３Ａ、３３Ｂとの、プランジャ３３Ａ、３３Ｂの軸方向における相対的位置関係やコイルの巻装状態等が設定されている。
【００２７】
図４（ｂ）〜（ｄ）は、質量体ＨＭの回動位置ｒｔに対する、質量体ＨＭに与えられる質量体回動軸ＰＨを中心とした押鍵方向の回転モーメントＭ（ｒｔ）の変化特性を示す図である。回転モーメントＭ（ｒｔ）は、各アクチュエータＡＣＴの質量体回動軸ＰＨからの距離だけでなく、プランジャ３３Ａ、３３Ｂの移動方向、及び、プランジャ３３Ａ、３３Ｂと質量体ＨＭ（の被駆動部２２）との当接角度にも影響されるが、これらをすべて反映した特性が示されている。
【００２８】
図４（ｂ）、（ｃ）はそれぞれ、第１、第２アクチュエータＡＣＴＡ、ＡＣＴＢが質量体ＨＭに与える回転モーメントＭ（ｒｔ）を示す。図４（ｄ）は、同時通電の場合において両第１、第２アクチュエータＡＣＴＡ、ＡＣＴＢが質量体ＨＭに与える回転モーメントＭ（ｒｔ）の和を示す。
【００２９】
まず、図３に示すように、非押鍵状態では、プランジャ３３Ａ、３３Ｂは、位置ＰＡ（０）、ＰＢ（０）にあって、質量体ＨＭ（０）とほぼ当接状態にある。自動演奏データに基づき電圧印加がなされると、プランジャ３３Ａ、３３Ｂは同時に上昇を開始し、協働して質量体ＨＭを押し上げ駆動する。この駆動初期では、プランジャ３３Ａはプランジャ３３Ｂに比し、質量体ＨＭの質量体回動軸ＰＨから遠い位置を駆動するので、駆動力Ｆ（ｓｔ）が同じであっても、図４（ｂ）、（ｃ）に示すように、初期の回転モーメントＭ（ｒｔ）は、プランジャ３３Ａによるものの方が大きい（Ｍ（Ａ０）＞Ｍ（Ｂ０））。従って、駆動初期の駆動の依存度は、第２アクチュエータＡＣＴＢに比べて、第１アクチュエータＡＣＴＡの方が高い。図４（ｄ）に示すように、これら両プランジャ３３Ａ、３３Ｂによる回転モーメントＭ（ｒｔ）の和Ｍ（ＡＢ０）（＝Ｍ（Ａ０）＋Ｍ（Ｂ０））が、駆動初期において与えられることで、慣性の大きい質量体ＨＭが円滑に動作し、歯切れの良い演奏が可能となる。
【００３０】
その後、質量体ＨＭが回動して回動途中位置ｒｔ（１）に達するまで、両プランジャ３３Ａ、３３Ｂによる駆動が続く。回転モーメントＭ（ｒｔ）の和は、回動途中位置ｒｔ（１）の直前で最大となって、その後急激に減少する。そして、回動途中位置ｒｔ（１）に達すると、プランジャ３３Ａが有効ストロークＸＡを移動しきってしまい、位置ＰＡ（１）に達する（図３参照）。従って、プランジャ３３Ａから質量体ＨＭ（１）に与えられる駆動力Ｆ（ｓｔ）及び回転モーメントＭ（ｒｔ）が０になり（図４（ａ）、（ｂ）参照）、プランジャ３３Ｂからのみ回転モーメントＭ（ｒｔ）が与えられる状態となる。その時点において質量体ＨＭ（１）に回転モーメントＭ（ｒｔ）の和が与えられるが、この和は、専ら位置ＰＢ（１）にあるプランジャ３３Ｂによるものである（図４（ｃ）、（ｄ）参照）。
【００３１】
その後、質量体ＨＭは、プランジャ３３Ｂからしか回転モーメントを受けないが、質量体ＨＭは既に、ある程度の回動速度を得ており、以後、回動終了位置ｒｔ（２）までの行程では、回動速度を維持するための回転モーメントがあれば足りる。回動途中位置ｒｔ（１）からは、回転モーメントの和Ｍ（ｒｔ）が再び増加していく。質量体ＨＭが上側ストッパ１２と当接して、回動終了位置ｒｔ（２）で停止すると、位置ＰＢ（２）に達したプランジャ３３Ｂから質量体ＨＭ（２）に与えられる回転モーメントＭ（ｒｔ）は、所定値となる。回動途中位置ｒｔ（１）から回動終了位置ｒｔ（２）までの行程における回転モーメントの和Ｍ（ｒｔ）の遷移は、当然に、プランジャ３３Ｂによる回転モーメントＭ（ｒｔ）の遷移と同じである。なお、自動演奏データに基づくため、プランジャ３３Ｂが位置ＰＢ（３）に達することは通常ない。
【００３２】
本実施の形態によれば、第１、第２アクチュエータＡＣＴＡ、ＡＣＴＢが、質量体回動軸ＰＨからの距離が異なる質量体ＨＭの位置を駆動するように、駆動位置が異なっているので、各アクチュエータＡＣＴが質量体ＨＭに対して与える回転モーメントの変化特性を、互いに異ならせることが容易にできる。特に、大きな駆動力が必要な回動初期（ｒｔ（０）〜ｒｔ（１））には、両アクチュエータＡＣＴから駆動力を受けると共に、回動速度維持で足りる回動途中以降（ｒｔ（１）〜ｒｔ（２））には、第２アクチュエータＡＣＴＢからのみ駆動力を受けるように、受け持つ駆動力を分担させたので、大きな回転モーメントを要する回動初期における質量体ＨＭの円滑な動作を確保しつつ、回動終了までの必要な駆動の継続を確保することができる。
【００３３】
すなわち、仮に１つのアクチュエータＡＣＴのみで、回動初期の強い駆動力と長いストロークとを共に確保する場合は、ソレノイドコイル３２の巻数が多くなり、全体寸法も長くなり、また、通電電流の設定値も大きくなる。ところが、本実施の形態では、配置を異にする２つのアクチュエータＡＣＴを設けたことで、質量体回動軸ＰＨから遠い側の第２アクチュエータＡＣＴＢは、同じ駆動力であっても強い回転モーメントを発揮することができ、一方、第１アクチュエータＡＣＴＡは同じ有効ストロークであっても、広い回動範囲に亘って駆動力を与え続けることができる、というように、回動位置における両者の使い分けが効果的となる。従って、結果として各アクチュエータＡＣＴを小型化しても、駆動力と駆動位置との適正な設定により、質量体ＨＭの回動行程において回転モーメントを両アクチュエータＡＣＴに適正に分担させることで、質量体ＨＭに対する適正な回転モーメントの遷移状態が得られる。よって、質量体ＨＭを介して鍵１０を駆動する駆動機構の小型化を図ることができる。それだけでなく、通電電流の設定を小さく設定できることから、電圧降下を回避しやすくなり、他の電気回路が比較的安定動作するので、高価な安定化電源が不要になる。
【００３４】
なお、本実施の形態では、質量体ＨＭを介して鍵１０が駆動される構成を例示したが、両アクチュエータＡＣＴの駆動力を鍵に伝達するために介在する伝達部材であれば、質量体ＨＭのように質量の大きい部材に限定されるものではない。また、質量体ＨＭを介して駆動される場合だけでなく、鍵１０が両アクチュエータＡＣＴによって直接駆動される構成であっても、本発明を適用可能である。その場合は、両アクチュエータＡＣＴの、鍵１０の鍵回動支点ＰＫからの距離を異ならせればよい。
【００３５】
なお、本実施の形態では、第１、第２アクチュエータＡＣＴＡ、ＡＣＴＢは、配置位置が異なるのみで、構成が同一であるとしたが、両者の単体としての駆動特性を互いに異ならせてもよい。具体的には、鍵１０乃至質量体ＨＭの回動行程において各アクチュエータＡＣＴが質量体ＨＭを実際に駆動する「実駆動範囲」を異ならせてもよい。あるいは、鍵１０乃至質量体ＨＭの回動行程に応じた、各アクチュエータＡＣＴが質量体ＨＭに対して与える「駆動力の変化特性」を異ならせ、適正に設定してもよい。また、「実駆動範囲」及び「駆動力の変化特性」の双方を異ならせてもよく、種々の構成が可能である。
【００３６】
（変形例１）
図５は、本実施の形態の変形例１における、第１アクチュエータＡＣＴＡが質量体ＨＭに与える質量体回動軸ＰＨを中心とした押鍵方向の回転モーメントＭ（ｒｔ）の質量体ＨＭの回動位置ｒｔに対する変化特性を示す図である。
【００３７】
図５の例では、駆動後期に最大値となる第１アクチュエータＡＣＴＡの回転モーメントＭ（ｒｔ）は、図４（ｂ）の例における最大値より大きい一方、プランジャ３３Ａの有効ストロークは図４（ｂ）の例に比し短くなっており、質量体ＨＭが上記回動途中位置ｒｔ（１）より手前の回動途中位置ｒｔ（３）の直前に達した時点で、与える回転モーメントＭ（ｒｔ）が最大となり、その後急激に減少して回動途中位置ｒｔ（３）で０になる。
【００３８】
このような特性とすれば、質量体ＨＭの駆動初期に一層大きい回転モーメントが得られる点で有利であり、回動途中位置ｒｔ（３）以降に大きな回転モーメントが必要ないような場合に適している。このような特性は、例えば、アクチュエータＡＣＴのボビンの長手寸法を短くしてコイル巻数を増やす等によって得ることができる。
【００３９】
また、図５の例に限らず、「実駆動範囲」及び「駆動力の変化特性」は、プランジャ３３のストロークだけでなく、アクチュエータＡＣＴの配置位置、質量体ＨＭとの成す角度等によっても変えることができる。従って、適用される鍵盤装置の仕様に応じて２つのアクチュエータＡＣＴの駆動特性の組み合わせを設定すればよい。
【００４０】
また、各アクチュエータＡＣＴにおける駆動力のピークは、通電後期に生じるように構成することに限定されず、例えば、質量体ＨＭの回動途中、あるいは回動初期に相当するタイミングでピークとなるようにアクチュエータＡＣＴを構成してもよい。これは、例えば、非押鍵状態におけるソレノイドコイル３２に対するプランジャ３３の往復方向における相対的位置（初期位置）を変えることで可能である。
【００４１】
（変形例２）
上記のように、本実施の形態では、両アクチュエータＡＣＴに電圧を同時に印加する構成を例示したが、アクチュエータＡＣＴの駆動特性は、アクチュエータＡＣＴに印加される電圧の時間的制御によっても変更可能である。
【００４２】
本実施の形態の変形例２では、制御部１により、鍵１０の回動行程における両アクチュエータＡＣＴの動作タイミングが互いに異なるように制御される。また、第１アクチュエータＡＣＴＡが所定位置（例えばプランジャ３３Ａが有効ストロークＸＡの半分に到達する位置）に達したことを検出する通過センサ（図示せず）を、プランジャ３３Ａに近接して設ける。
【００４３】
制御部１は、駆動初期には、第１アクチュエータＡＣＴＡのみに電圧を印加し、第２アクチュエータＡＣＴＢには印加しないようにする。そして、制御部１は、第１アクチュエータＡＣＴＡのプランジャ３３Ａが上記所定位置を通過したことが検出された時点で初めて、第２アクチュエータＡＣＴＢに電圧を印加するように制御する。すなわち、質量体ＨＭが、その回動初期には、第１アクチュエータＡＣＴＡでのみ質量体ＨＭが駆動されると共に、回動後期には、主として第２アクチュエータＡＣＴＢで駆動されるようにする。
【００４４】
この場合、第１アクチュエータＡＣＴＡのみで駆動初期に十分な駆動力が得られるように、第１アクチュエータＡＣＴＡの構成、配置、印加電圧等を設定する必要があることはいうまでもない。また、好ましくは、各アクチュエータＡＣＴと質量体ＨＭとの係合関係を、図１に示す係合部２１と質量体駆動部１１との関係のように構成し、各アクチュエータＡＣＴと質量体ＨＭとが常に追従して動作するように構成するのがよい。このようにすれば、第２アクチュエータＡＣＴＢが第１アクチュエータＡＣＴＡに遅れて動作するとき、第２アクチュエータＡＣＴＢのプランジャ３３Ｂが質量体ＨＭから離間しているという状態が回避されるので、回転モーメントの分担の移行が円滑となるだけでなく、質量体ＨＭとプランジャ３３Ｂとの当接メカノイズも軽減される。
【００４５】
変形例２のように構成すれば、２つのアクチュエータによる適正な分担駆動により、駆動機構の小型化に関し、上記と同様の効果を得ることができ、構成のバリエーションが広がる。
【００４６】
なお、第２アクチュエータＡＣＴＢの動作は、通過センサの検出によって行う代わりに、計時により、第１アクチュエータＡＣＴＡの動作開始から所定時間経過後に開始されるように構成してもよい。
【００４７】
なお、変形例１、２を応用し、少なくとも有効ストロークを含む駆動特性を２つのアクチュエータ間で異ならせれば、質量体回動軸ＰＨからの距離が必ずしも異なっていなくてもよい。
【００４８】
（変形例３）
本実施の形態では、両アクチュエータＡＣＴを共に動作させるようにしたが、動作モードを設定可能にし、いずれか一方のみが動作するように構成してもよい。例えば、第１アクチュエータＡＣＴＡのみが動作し、第２アクチュエータＡＣＴＢの動作が禁止される「練習モード」（所定の動作モード）を設ける。モード設定は、例えば、操作部３の操作によりなされ、設定されたモードは制御部１のＲＡＭに記憶される。「練習モード」では、マイナスワンによる自動演奏がなされると同時に、ユーザによるマニュアル押鍵による発音もなされるものとする。
【００４９】
この「練習モード」によれば、例えば、第１アクチュエータＡＣＴＡのプランジャ３３Ａからの駆動力のみによって、図３に示す回動途中位置ｒｔ（１）まで質量体ＨＭが回動するが、回動はそこで止まる。従って、鍵１０は、完全な押鍵状態とはならず、半押鍵の状態となる。また、半押鍵の状態では、楽音発生部８による楽音は発生しないようにする。これにより、ユーザからみれば、自動演奏データに従って、押下すべき鍵が順次半押し状態になっていくので、それを押鍵指示とみなして実際に押鍵することで、鍵ガイド機能を果たすことができる。この場合、マイナスワンされている楽音に関しては、ユーザが実際に完全押鍵した場合にのみ、その押鍵された鍵１０に対応する楽音が発生する。これにより、自己の押鍵操作が適切かどうかを耳で確認しつつ鍵ガイドによる練習を行うことができる。光を用いた鍵ガイドと異なり、目が不自由なユーザにも利用可能である。
【００５０】
なお、弦を実際に打弦する構成の鍵盤装置においても、第１アクチュエータＡＣＴＡの駆動のみでは打弦に至らないように設定すれば、同様の半押し状態による鍵ガイド機能の構成は容易に採用可能である。
【００５１】
（変形例４）
本実施の形態において、プランジャ３３の特に長い有効ストロークを確保する必要がある場合は、ソレノイドコイル３２を用いた構成でなく、次のような形状記憶合金を用いた構成も有効である。
【００５２】
図６は、本実施の形態の変形例４におけるアクチュエータの構成を示す図である。例えば、第２アクチュエータＡＣＴＢに代えて、アクチュエータＡＣＴＣを採用する。同図に示すように、取り付け部材３７に、形状記憶合金で構成される２本のワイヤ３６、３６の下端部、及び駆動棒３８の下端部が取り付けられ、鍵盤装置に対して固定的にされた係止部３５に、ワイヤ３６、３６の上端部が係止される。駆動棒３８の上端は、プランジャ３３と同様に質量体ＨＭの被駆動部２２を駆動可能にされている。
【００５３】
ワイヤ３６、３６は、高温での形状を記憶しており、常温では、非押鍵状態における質量体ＨＭの復帰力に抗することができず、図６に示すように伸びた状態になっている。しかし、自動演奏データに基づいてワイヤ３６、３６に電流が流れると、発熱し、高音になって、質量体ＨＭの復帰力に抗して縮む。これにより、プランジャ３３の場合と同様に、駆動棒３８によって質量体ＨＭが駆動されて回動する。
【００５４】
ワイヤ３６、３６は、形状記憶合金であり、伸縮量が大きいので、小型でありながら長い動作ストロークを確保するのに有利である。従って、特に質量体回動軸ＰＨに近い側の第１アクチュエータＡＣＴＡに代えて用いるのが適当であるが、第２アクチュエータＡＣＴＢにも用いてもよい。
【００５５】
なお、質量体ＨＭを駆動する機構は、これらソレノイドや形状記憶合金を用いた構成に限られず、自動演奏データに基づき質量体ＨＭを駆動できる構成であればよい。
【００５６】
なお、本実施の形態において、アクチュエータＡＣＴが２つである構成を例示したが、これに限るものでなく、３つ以上であってもよい。その場合でも、主として質量体回動軸ＰＨに遠い側のアクチュエータＡＣＴに、駆動初期における回転モーメントの多くを負担させ、主として質量体回動軸ＰＨに近い側のアクチュエータＡＣＴに、ストロークの長い駆動後期における回転モーメントを負担させる、という観点で各アクチュエータＡＣＴの構成、配置を検討するのが望ましい。
【００５７】
なお、本実施の形態において、鍵１０及び質量体ＨＭは回動動作をするものであったが、アクチュエータＡＣＴによって、鍵が非押鍵状態から押鍵状態に変位する鍵盤装置であればよく、駆動されるべきものは回動動作するものに限定されない。その場合は、両アクチュエータＡＣＴの配置位置を異ならせるだけでは、効果的でないので、互いにストロークや駆動力等の駆動特性を異ならせることが望ましい。
【図面の簡単な説明】
【００５８】
【図１】本発明の一実施の形態に係る鍵駆動装置を備えた鍵盤装置の断面図である。
【図２】同鍵盤装置の機能構成を示すブロック図である。
【図３】アクチュエータの動作説明図である。
【図４】アクチュエータのプランジャストロークに対する駆動力の変化特性を示す図（図（ａ））、及び、質量体の回動位置に対する、質量体に与えられる質量体回動軸を中心とした押鍵方向の回転モーメントの変化特性を示す図（図（ｂ）〜（ｄ））である。
【図５】本実施の形態の変形例１における、第１アクチュエータが質量体に与える質量体回動軸を中心とした押鍵方向の回転モーメントの質量体の回動位置に対する変化特性を示す図である。
【図６】本実施の形態の変形例４におけるアクチュエータの構成を示す図である。
【符号の説明】
【００５９】
１０  鍵、  １１  質量体駆動部、  ２１  係合部、  ２２  被駆動部、  ２４  スイッチ押圧部、  ＨＭ  質量体、  ＰＨ  質量体回動軸（質量体回動支点）、  ＰＫ  鍵回動支点、  ＡＣＴ  アクチュエータ（質量体駆動手段）
【図１】
2006209145.tif 000003
【図２】
2006209145.tif 000004
【図３】
2006209145.tif 000005
【図４】
2006209145.tif 000006
【図５】
2006209145.tif 000007
【図６】
2006209145.tif 000008
【手続補正書】
【提出日】平成18年6月6日(2006.6.6)
【手続補正１】
【補正対象書類名】特許請求の範囲
【補正対象項目名】全文
【補正方法】変更
【補正の内容】
【特許請求の範囲】
【請求項１】
質量体を駆動する質量体駆動部を有し、鍵回動支点を中心に非押鍵状態に対応する回動開始位置と押鍵終了状態に対応する回動終了位置との間で回動可能にされた鍵と、
係合部及び被駆動部を有し、前記鍵の下方において該鍵に対応して配設され、質量体回動支点を中心に非押鍵状態に対応する回動開始位置と押鍵状態に対応する回動終了位置との間で回動可能にされた質量体と、
前記質量体の下方において該質量体に対応して配設され、前記質量体の前記被駆動部を駆動して前記質量体を前記回動終了位置の方向に回動させる質量体駆動手段とを有し、
前記鍵の前記質量体駆動部と前記質量体の前記係合部とは常に係合状態にあり、前記鍵と前記質量体とは互いに、それぞれの回動開始位置と回動終了位置との間を双方向に連動して回動するように構成されたことを特徴とする鍵盤装置。
【手続補正２】
【補正対象書類名】明細書
【補正対象項目名】０００１
【補正方法】変更
【補正の内容】
【０００１】
本発明は、自動演奏ピアノ等の鍵を駆動することで押鍵動作をさせる鍵盤装置に関する。
【手続補正３】
【補正対象書類名】明細書
【補正対象項目名】０００２
【補正方法】変更
【補正の内容】
【０００２】
従来、自動演奏ピアノ等において、自動演奏データに基づき、回動等の動作をする鍵自身を直接駆動するようにした鍵駆動装置を備えた鍵盤装置が知られている。この鍵盤装置は、例えば、ソレノイドを用いて構成され、１つの鍵に対応して１つずつ設けられる。このソレノイドに演奏タイミング毎に通電してプランジャを突出動作させ、該プランジャで鍵または介在部材を突き上げ（または突き下げ）駆動するように構成される。
【手続補正４】
【補正対象書類名】明細書
【補正対象項目名】０００６
【補正方法】変更
【補正の内容】
【０００６】
上記目的を達成するために本発明の請求項１の鍵盤装置は、質量体を駆動する質量体駆動部を有し、鍵回動支点を中心に非押鍵状態に対応する回動開始位置と押鍵終了状態に対応する回動終了位置との間で回動可能にされた鍵と、係合部及び被駆動部を有し、前記鍵の下方において該鍵に対応して配設され、質量体回動支点を中心に非押鍵状態に対応する回動開始位置と押鍵状態に対応する回動終了位置との間で回動可能にされた質量体と、前記質量体の下方において該質量体に対応して配設され、前記質量体の前記被駆動部を駆動して前記質量体を前記回動終了位置の方向に回動させる質量体駆動手段とを有し、前記鍵の前記質量体駆動部と前記質量体の前記係合部とは常に係合状態にあり、前記鍵と前記質量体とは互いに、それぞれの回動開始位置と回動終了位置との間を双方向に連動して回動するように構成されたことを特徴とする。